(57)【要約】【課題】コスト的に安価で量産が容易であり、見た目に美しく耐久性に優れ、しかも、防犯の目的を確実に達成することができる忍び返しを提供する。【解決手段】構造物ａ上へ長手方向に沿って固定するベース部材２と、このベース部材２の上面に対して、長さ方向に一定間隔の配置で固定する忍び返し本体３とからなり、これらがそれぞれアルミを用いて押出し成形され、前記忍び返し本体３が、断面三角形となる筒状胴部４の上部頂点に、この筒状胴部４から上方に板状となって直立し、その上部先端が鋭利な尖り形状の稜線となる忍び返し板５を一体に突設した断面形状を有し、この忍び返し本体３が長尺部材を輪切りすることによって形成されている。【選択図】図１
2010144341.tif 000002
【特許請求の範囲】
【請求項１】
構造物上へ長手方向に沿って固定するベース部材と、
このベース部材の上面に対して、長さ方向に一定間隔の配置で固定する忍び返し本体とからなり、
前記忍び返し本体が、断面三角形となる筒状胴部の上部頂点に、この筒状胴部から上方に板状となって直立し、その上部先端が鋭利な尖り形状の稜線となる忍び返し板を一体に突設した断面形状を有し、
この忍び返し本体を、材料にアルミを用いて押出し成形により形成された長尺連続物から、所定の長さに切りだすことによって形成した忍び返し。
【請求項２】
上記筒状胴部の両側傾斜面の外面に、斜め上向きに突出し、その上部先端が鋭利な尖り形状の稜線となる副忍び返し板を設けた請求項１に記載の忍び返し。
【請求項３】
上記忍び返し本体は、上記長尺連続物から切り出すとき、長尺連続物の長さ方向に対して斜めに切り出すことにより、ベース部材の上面に忍び返し本体を直立状に固定配置した状態で、忍び返し板の上り傾斜側に位置する上端部コーナを鋭角にした請求項１又は２に記載の忍び返し。
【請求項４】
上記ベース部材は、上面が開放した溝形の断面形状を有するベース部材本体と、
底板の両側に上面側へ屈曲する対向壁が設けられ、上記ベース部材本体の内部に納まる溝形の断面形状を有し、ベース部材本体にビス止め固定する内側固定部材との組合わせからなり、
上記忍び返し本体は、内側固定部材の対向壁間に納まる奥行き寸法を有し、筒状胴部の下面両側の位置にビス溝を有する突条が設けられ、
内側固定部材の対向壁間に忍び返し本体の下部を嵌め込んだ状態で、対向壁間に架設するビスを前記突条のビス溝に螺合することによって、忍び返し本体と内側固定部材を固定化した請求項１乃至３の何れかに記載の忍び返し。
【発明の詳細な説明】
【技術分野】
【０００１】
この発明は、フェンスや塀、門扉等の構造物の上端に取り付け、外部からの侵入者を阻止する忍び返しに関する。
【背景技術】
【０００２】
従来、上記構造物の上端面に取付ける忍び返しは、構造物上に固定した支柱間に有刺鉄線を架設したものや、スチールやステンレス等の金属材料を用いた棒状体の上端を先鋭形状に形成したものを一定間隔で起立状に並べるようにしたものが用いられている（例えば、特許文献１参照）。
【特許文献１】特開２００６−２０７２８５号公報
【発明の開示】
【発明が解決しようとする課題】
【０００３】
ところで、有刺鉄線を用いた忍び返しは、見た目の美観に劣ると共に、このような有刺鉄線やスチールを用いたものは、経時的に錆が発生して見た目に汚くなり、耐久性に劣るだけでなく建物の価値を低下させることになり、また、ステンレス製のものは加工に手間がかかり、かつ、材料コストが高くつくという問題がある。
【０００４】
そこで、この発明の課題は、コスト的に安価で量産が容易であり、見た目に美しく耐久性に優れ、しかも、防犯の目的を確実に達成することができる忍び返しを提供することにある。
【課題を解決するための手段】
【０００５】
上記のような課題を解決するため、この発明は、構造物上へ長手方向に沿って固定するベース部材と、このベース部材の上面に対して、長さ方向に一定間隔の配置で固定する忍び返し本体とからなり、前記忍び返し本体が、断面三角形となる筒状胴部の上部頂点に、この筒状胴部から上方に板状となって直立し、その上部先端が鋭利な尖り形状の稜線となる忍び返し板を一体に突設した断面形状を有し、この忍び返し本体を、材料にアルミを用いて押出し成形により形成された長尺連続物から、所定の長さに切りだすことによって形成したものである。
【０００６】
上記筒状胴部の両側傾斜面の外面に、斜め上向きに突出し、その上部先端が鋭利な尖り形状の稜線となる副忍び返し板を設けたり、上記忍び返し本体は、上記長尺連続物から切り出すとき、長尺連続物の長さ方向に対して斜めに切り出すことにより、ベース部材の上面に忍び返し本体を直立状に固定配置した状態で、忍び返し板の上り傾斜側に位置する上端部コーナを鋭角にしたものである。
【０００７】
また、上記ベース部材は、上面が開放した溝形の断面形状を有するベース部材本体と、底板の両側に上面側へ屈曲する対向壁が設けられ、上記ベース部材本体の内部に納まる溝形の断面形状を有し、ベース部材本体にビス止め固定する内側固定部材との組合わせからなり、上記忍び返し本体は、内側固定部材の対向壁間に納まる奥行き寸法を有し、筒状胴部の下面両側の位置にビス溝を有する突条が設けられ、内側固定部材の対向壁間に忍び返し本体の下部を嵌め込んだ状態で、対向壁間に架設するビスを前記突条のビス溝に螺合することによって、忍び返し本体と内側固定部材を固定化した構造とすることができる。
【０００８】
ここで、上記忍び返し本体の筒状胴部は、一辺が８０〜９０ｍｍ前後の三角形で奥行きが３０ｍｍ程度、忍び返し板は、５０〜６０ｍｍ程度の高さを有し、アルミを用いて押出し成形した長尺連続物を一定間隔で切断することによって形成され、長尺連続物から忍び返し本体を輪切りに切出すとき、長尺連続物の長さ方向に対して直角でもよいが、例えば、３０度程度の傾斜角度で輪切りに切断すれば、忍び返し板を直立状に配置したときの上端部稜線の上部コーナが鋭角に尖った状態となり、材料にアルミを用いても鋭角の尖った部分を形成することができる。
【０００９】
上記ベース部材本体は、ベース底板の一方側縁に高い前壁と他方側縁に低い後壁が立上がる断面溝形となり、アルミを用いて押出し成形により長尺に形成され、前壁の内面には、中間部の高さ位置で長さ方向の全長にわたって、内側固定部材の前部支持溝が上下の突条によって形成され、後壁には、水平となるビスのタッピング孔が長さ方向に所定間隔で設けられている。
【００１０】
上記内側固定部材は、上記ベース部材本体の前壁と後壁の間に余裕を持って納まる幅の底板と、底板の両側に上面側へ屈曲する対向壁を備え、アルミを用いて押出し成形により、前記ベース部材本体の内部に納まる溝形の断面形状に形成され、前記底板の前縁に上記前部支持溝への差込み突条と、後縁に上記ベース底板上への当接片が設けられ、ベース部材本体内に組み込んだとき、例えば、底板が水平に対して３０度の傾斜角度となるように配置される。
【００１１】
上記対向壁間に長いビスを底板と平行に架設することができるよう、前部対向壁にビスのねじ込み孔と、後部対向壁にビスの先端部を保持する凹溝が設けられ、この後部対向壁の外面にベース部材本体の後壁へ被せる固定壁が連成され、固定壁と後壁をビスで結合することにより、ベース部材本体に対して内側固定部材を固定化するようになっている。
【００１２】
上記忍び返し本体は、筒状胴部の下部を内側固定部材の対向壁間に嵌め込み、筒状胴部の下面両側の突条を内側固定部材の底板上に重ね、前部対向壁から後部対向壁に向けてねじ込んだビスを、突条のビス溝に螺入することにより、内側固定部材に対して忍び返し本体は、起立状の配置で固定化されることになる。
【発明の効果】
【００１３】
この発明によると、構造物上へ固定するベース部材の上面に対して固定する忍び返し本体を、断面三角形となる筒状胴部の上部頂点に、上部先端が鋭利な尖り形状の稜線となる忍び返し板を一体に突設した断面形状に形成し、この忍び返し本体を、材料にアルミを用いて押出し成形により形成された長尺部材から、所定の長さに切りだすことによって形成したので、忍び返し本体は、量産が可能になり、かつ、見た目に美しく耐久性とデザイン性に優れ、構造物の美観を損ねないと共に、忍び返し板は上端縁が鋭利な稜線となり、直立に起立することで不審者の外部からの侵入を困難にすることができ、防犯の目的を確実に達成できる。
【００１４】
また、忍び返し本体を、材料にアルミを用いて押出し成形した長尺部材の長さ方向に対して傾斜角度で輪切りして形成すれば、忍び返し板を直立状に配置したとき、その上端縁稜線の上部コーナが鋭角に尖った状態となり、一段と不審者の侵入を困難にすることができる。
【発明を実施するための最良の形態】
【００１５】
以下、この発明の実施の形態を図示例と共に説明する。
【００１６】
図示のように、この発明の忍び返し１は、フェンスや塀、門扉等の構造物ａの上面へ長手方向に沿って固定するベース部材２と、このベース部材２の上面に対して、長さ方向に一定間隔の配置で固定する忍び返し本体３とで形成されている。
【００１７】
上記忍び返し本体３は、断面三角形となる筒状胴部４の上部頂点に、この筒状胴部４から上方に板状となって直立し、両側面が大きなアールとなって上部先端が鋭利な尖り形状の稜線となる忍び返し板５を一体に突設した断面形状を有している。
【００１８】
図示の場合、上記筒状胴部４の両側傾斜面の外面途中に、斜め上向きに突出し、その上部先端が鋭利な尖り形状の稜線となる副忍び返し板６を設け、筒状胴部４の外面で下部両側の位置に外方へ張り出す間隔保持板４ａを設けた例を示している。
【００１９】
上記忍び返し本体３は、材料にアルミを用い、筒状胴部４と忍び返し板５及び副忍び返し板６を、押出し成形により一体に形成された長尺部材から、所定の長さに輪切りすることによって切りだされる。
【００２０】
上記忍び返し本体の筒状胴部４は、例えば、一辺が８０〜９０ｍｍ前後の三角形で奥行きが３０ｍｍ程度、忍び返し板５は、５０〜６０ｍｍ程度の高さ、副忍び返し板６は、水平に対して５０度程度の角度で斜め上向きに突出し、筒状胴部４の底辺の幅に納まる程度の突出長さを有し、アルミを用いて押出し成形した長尺部材を３０ｍｍ程度の間隔で輪切りに切断することによって形成されている。
【００２１】
図５と図６の一点鎖線のように、上記忍び返し本体３を長尺部材３ａから切出すとき、長尺部材３ａの長さ方向に対して直角でもよいが、例えば、長尺部材３ａを長さ方向に対して３０度程度の傾斜角度で輪切りして切断し、忍び返し本体３を直立状に配置したとき、図３（ａ）のごとく、忍び返し板５と副忍び返し板６の上端部稜線の上部コーナ５ａと６ａが鋭角に尖った状態となるようにし、材料にアルミを用いても鋭角の尖った部分を形成することができるようにしている。
【００２２】
上記忍び返し本体３の筒状胴部４における下面で両側の位置に、この筒状胴部４の軸方向に沿って平行するよう、ビス溝７を有する一対の突条８が一体に設けられている。
【００２３】
上記ベース部材２は、上面が開放した溝形の断面形状を有するベース部材本体９と、同じく溝形の断面形状を有し、ベース部材本体９の内部に納まる状態で、ベース部材本体９にビス止め固定する内側固定部材１０との組合わせによって形成されている。
【００２４】
上記ベース部材本体９は、ベース底板１１の一方側縁に高い前壁１２と他方側縁に低い後壁１３が立上がる幅が６０ｍｍ前後の断面溝形となり、アルミを用いて押出し成形により１ｍ程度の長尺に形成され、前壁１２の内面には、中間部の高さ位置で長さ方向の全長にわたって、内側固定部材１０の前部支持溝１４が上下の突条１５によって設けられ、後壁１３には、ビス１６をねじ込むための水平のタッピング孔１７が長さ方向に所定間隔で設けられ、構造物ａの上面にベース底板１１を重ねた状態でアンカーボルト１８によって固定される。
【００２５】
上記内側固定部材１０は、上記ベース部材本体９の前壁１２と後壁１３の間に余裕を持って傾斜状に納まる幅の底板１９と、底板１９の両側に、忍び返し本体３の奥行きが丁度嵌まり込む間隔を設けて上面側へ直角に屈曲する対向壁２０、２１を備え、アルミを用いて押出し成形により、前記ベース部材本体９の内部に納まる溝形の断面形状でベース部材本体９と等しい長さに形成され、前記底板１９の前縁に上記前部支持溝１４へ挿入する水平の差込み突条２２と、後縁に上記ベース底板１１上へ載置する下向きの当接片２３が設けられ、ベース部材本体９内に組み込んだとき、例えば、底板１９が水平に対して３０度の傾斜角度となるように配置される。
【００２６】
上記対向壁２０と２１間に長いビス２４を底板１９と平行に架設することができるよう、前部対向壁２０にビス２４のねじ込み孔２５と、後部対向壁２１にビス２４の先端部を保持する凹溝２６が設けられ、この後部対向壁２１の外面に、水平に突出した後下向きに屈曲し、ベース部材本体９の後壁１３に対して上から外面に被せる固定壁２７が連成され、固定壁２７と後壁１３の重なり部分を、固定壁２７の孔２８から上記タッピング孔１７にねじ込んだビス１６で結合することにより、ベース部材本体９に対して内側固定部材１０を固定化するようになっている。
【００２７】
上記忍び返し本体３は、例えば、ベース部材２に対して長さ方向に１００ｍｍ程度の間隔で固定配置するものであり、隣接する忍び返し本体３の前記間隔に対して両側から副忍び返し板６が突出することになるので、隣接する忍び返し本体３間に手や足を載せることができない状態になる。
【００２８】
従って、上記内側固定部材１０の前部対向壁２０に設けるねじ込み孔２５は、一つの忍び返し本体３を固定するのに二つが一組となり、この一組のねじ込み孔２５は、忍び返し本体３の下面に設けた突条８の両側ビス溝７と等しい間隔となり、しかも、一組のねじ込み孔２５は、内側固定部材１０の長さ方向に１００ｍｍ程度のピッチで配置されている。
【００２９】
なお、図示の場合、忍び返し本体３は、長尺部材３ａを長さ方向に対して３０度程度の傾斜角度で切断したが、長尺部材３ａを長さ方向に対して直角に切断して忍び返し本体を形成することもでき、この場合、忍び返し板５の上端部稜線は鋭利になっているので、忍び返し板５の上端部稜線の両コーナが直角で尖った状態となり、忍び返しとしての実用上の問題はない。
【００３０】
また、内側固定部材１０に対して上記長尺部材３ａを長さ方向に対して直角に切断して得た忍び返し本体を直立状に固定するため、図示のベース部材本体９において、後壁１３を高く設計して内側固定部材１０をその内部に水平状態で固定することができるようにすれば対応することができる。
【００３１】
なお、忍び返し１を構成するベース部材２と忍び返し本体３はアルミ製であるが、これらの表面にクローム等のメッキ処理を施し、強度や耐久性、美観を向上させるようにしてもよい。
【００３２】
この発明の忍び返しは、上記のような構成であり、次に、フェンスや塀、門扉等の構造物ａの上端面に対する取付け方法を説明する。
【００３３】
コンクリートやブロック等の塀である構造物ａの上端面にベース部材本体９を、その前壁１２が構造物ａの外側に臨むようにして載置し、ベース底板１１を貫通するアンカーボルト１８でこれを固定しておく。
【００３４】
内側固定部材１０の対向壁２０と２１間に忍び返し本体３の筒状胴部４の下部を嵌め込み、筒状胴部４の下面両側の突条８を内側固定部材１０の底板１９上に重ね、前部対向壁２０のねじ込み孔２５から後部対向壁２１に向けてねじ込んだ長いビス２４を、突条８のビス溝７に螺入することにより、内側固定部材１０に対して忍び返し本体３を起立状の配置で固定化する。
【００３５】
このとき、忍び返し本体３は、筒状胴部４の開放面が構造物ａの内外方向に向き、かつ、忍び返し板５の鋭角に尖った上部コーナ側が、構造物ａの外面側に位置する配置で固定する。
【００３６】
上記ビス２４は、軸部に形成した雄ねじが忍び返し本体３の両側突条８のビス溝７に対してねじ込まれることによって、内側固定部材１０に忍び返し本体３を固定化すると共に、ビス２４は頭部側が前部対向壁２０のねじ込み孔２５で支持され、軸部の先端側は後部対向壁２１の凹溝２６によって支持されるので、内側固定部材１０に対して忍び返し本体３を抜け止め状に固定化できる。
【００３７】
このようにして、内側固定部材１０の長さ方向に対して複数の忍び返し本体３を一定の間隔で固定し、この内側固定部材１０を上記したベース部材本体９に対して、端部開放端から差込み、内側固定部材１０とベース部材本体９の長さ方向を一致させる。
【００３８】
上記内側固定部材１０は、前部支持溝１４に差込み突条２２を嵌め合わせ、当接片２３をベース底板１１上へ載置すると共に、後壁１３に対して上から固定壁２７を被せた状態でベース部材本体９に対して挿入し、内側固定部材１０とベース部材本体９の長さ方向が一致した状態で、固定壁２７から後壁１３のタッピング孔１７にビス１６をねじ込むことで、ベース部材本体９に対して内側固定部材１０を固定化し、ベース部材２を組立てる。
【００３９】
上記内側固定部材１０は、差込み突条２２が前部支持溝１４に嵌まり合う部分と、固定壁２７を後壁１３に固定するビス１６によって、ベース部材本体９に長さ方向及び上方への抜け止め状態に固定化され、この内側固定部材１０は、ベース部材本体９内に前部対向壁２０側が上となる３０度の傾斜角度で配置され、これによって、下部が傾斜している忍び返し本体３はベース部材２上に直立した配置となる。
【００４０】
なお、ベース部材本体９の前壁１２は、図３のように、上部を内方へ屈曲させ、内側固定部材１０の前部対向壁２０の上部を覆うようにし、内側固定部材１０の固定をより確実にしている。
【００４１】
上記忍び返し本体３は、図４のように、構造物ａの上に一定間隔の配置で起立し、上縁が鋭利な稜線となる忍び返し板５が上向きに突出すると共に、忍び返し板５と副忍び返し板６の鋭角に尖った上部コーナ５ａと６ａが構造物ａの外部側に臨み、隣接する忍び返し本体３の間には、先端が鋭利な稜線となる副忍び返し板６が両側から突出するので、構造物ａの上に人が手をかけたり脚を載せる部分をなくし、外部からの侵入者を有効に阻止することができる。
【００４２】
また、忍び返し本体３とベース部材２は、アルミを用いて押出し成形することにより、材料及び製造コストの低減が図れると共に、錆の発生も少なく耐久性に優れ、特に、忍び返し本体３は、長尺部材から輪切りすることにより量産が可能になり、かつ、忍び返し本体３は、三角形となる筒状胴部４の上部頂点に忍び返し板５が一体に突出し、両側傾斜面の外面に副忍び返し板６が斜め上向きに突出した外観を有し、これが構造物ａの上に一定の間隔で並んだ状態になるので、見た目の形状が斬新なものとなり、建物の美観を向上させることができる。
【図面の簡単な説明】
【００４３】
【図１】この発明の忍び返しを示す忍び返し本体とベース部材の分解斜視図
【図２】この発明の忍び返しを構造物に固定した状態を構造物の内側から見た一部切り欠き背面図
【図３】（ａ）は図２の矢印ａ−ａに沿う縦断側面図、（ｂ）は同矢印ｂ−ｂ線に沿う拡大した縦断側面図
【図４】この発明の忍び返しを構造物に固定した状態を構造物の外側から見た斜視図
【図５】この発明の忍び返しにおいて、長尺部材から忍び返し本体を傾斜状に輪切りによって切り出す場合を説明する正面図
【図６】この発明の忍び返しにおいて、長尺部材から忍び返し本体を傾斜状に輪切りして切り出す場合を説明する図５の矢印ｃ−ｃ線での切断部分を示す斜視図
【図７】（ａ）は忍び返し本体の正面図、（ｂ）は同背面図、（ｃ）は同平面図、（ｄ）は同底面図
【図８】（ａ）は忍び返し本体の右側面図、（ｂ）は（ａ）の矢印ｂ−ｂでの縦断した端面図、（ｃ）は忍び返し本体の斜視図
【符号の説明】
【００４４】
１        忍び返し
２        ベース部材
３      忍び返し本体
４      筒状胴部
４ａ    間隔保持板
５      忍び返し板
６      副忍び返し板
７      ビス溝
８      突条
９      ベース部材本体
１０    内側固定部材
１１    ベース底板
１２    前壁
１３    後壁
１４    前部支持溝
１５    突条
１６    ビス
１７    タッピング孔
１８    アンカーボルト
１９    底板
２０    対向壁
２１    対向壁
２２    差込み突条
２３    当接片
２４    ビス
２５    ねじ込み孔
２６    凹溝
２７    固定壁
２８    孔
【図１】
2010144341.tif 000003
【図２】
2010144341.tif 000004
【図３】
2010144341.tif 000005
【図４】
2010144341.tif 000006
【図５】
2010144341.tif 000007
【図６】
2010144341.tif 000008
【図７】
2010144341.tif 000009
【図８】
2010144341.tif 000010